(57)【特許請求の範囲】
【請求項１】
光が受光することで発電する太陽光パネルと、
前記太陽光パネルを所定の角度で支持するフレーム部と、
前記太陽光パネルの下方に地表面から所定の高さをとって設置され所定の作物を養液栽培するための栽培槽と、を有する太陽光パネル付高設棚養液栽培システムにおいて、
前記フレーム部の棟間に透光性の屋根部材を設けるとともに、前記屋根部材の下方に光反射性を有する反射シートを設置し、棟間に射し込む光をフレーム部内に導光するとともに、棟間にも前記栽培槽を設けたことを特徴とする太陽光パネル付高設棚養液栽培システム。
【請求項２】
フレーム部が、
太陽光パネルを所定の角度で保持する横フレームと、前記横フレームを支持する縦フレームと、を有し、
前記横フレームに反射板を設置して、前記反射シートで反射した光を栽培槽側に導光することを特徴とする請求項１記載の太陽光パネル付高設棚養液栽培システム。
【請求項３】
フレーム部の側面を開閉する巻上げが可能なカバー部を有することを特徴とする請求項１または請求項２に記載の太陽光パネル付高設棚養液栽培システム。
【請求項４】
横フレームに雨樋を設けたことを特徴とする請求項１乃至請求項３のいずれか１項に記載の太陽光パネル付高設棚養液栽培システム。
【発明の詳細な説明】
【技術分野】
【０００１】
本発明は、太陽光パネル下で作物を養液栽培する太陽光パネル付高設棚養液栽培システムに関するものである。
【背景技術】
【０００２】
近年、再生可能エネルギーへの関心の高まりから、太陽光を受光して電力を発電する太陽光パネルが一般家庭や一般企業に広く普及している。また、比較的大規模な敷地に太陽光パネルを配設した、メガソーラー発電所も各地に建設されている。しかしながら、太陽光パネルを地面に設置する場合、太陽光パネル下のエリアは活用されない場合が多い。この問題点に関し、下記［特許文献１］に記載の発明では、太陽光パネル下の地面で農作物を栽培する技術が開示されている。
【先行技術文献】
【特許文献】
【０００３】
【特許文献１】特開２０１４−０１８０８２号公報
【発明の概要】
【発明が解決しようとする課題】
【０００４】
しかしながら、土による露地栽培は気候や土中細菌等によって作物の生育状態が左右され、収穫量や品質等にバラつきが生じるという問題点がある。また、農作業を行う人間にとって低い地面での農作業は腰を痛める他、生産性が低いという問題点がある。
【０００５】
本発明は上記事情に鑑みてなされたものであり、太陽光パネル下のエリアを有効活用するとともに、太陽光パネル下にて作物を安定的に生育することが可能な太陽光パネル付高設棚養液栽培システムを提供することを目的とする。また、作業者にとって、農作業の負担が軽く作業環境に優れた太陽光パネル付高設棚養液栽培システムを提供することを目的とする。
【課題を解決するための手段】
【０００６】
本発明は、
（１）光が受光することで発電する太陽光パネル１０と、前記太陽光パネル１０を所定の角度で支持するフレーム部と、前記太陽光パネル１０の下方に地表面から所定の高さをとって設置され所定の作物を養液栽培するための栽培槽３０と、を有する太陽光パネル付高設棚養液栽培システムにおいて、
前記フレーム部の棟間に透光性の屋根部材４０を設けるとともに、前記屋根部材４０の下方に光反射性を有する反射シート４４を設置し、棟間に射し込む光をフレーム部内に導光するとともに、棟間にも前記栽培槽３０を設けたことを特徴とする太陽光パネル付高設棚養液栽培システム８０を提供することにより、上記課題を解決する。
（２）フレーム部が、太陽光パネルを所定の角度で保持する横フレーム２０ａと、前記横フレーム２０ａを支持する縦フレーム２０ｂと、を有し、
前記横フレーム２０ａに反射板４２を設置して、前記反射シート４４で反射した光を栽培槽３０側に導光することを特徴とする上記（１）記載の太陽光パネル付高設棚養液栽培システム８０を提供することにより、上記課題を解決する。
（３）フレーム部の側面を開閉する巻上げが可能なカバー部２４を有することを特徴とする上記（１）または（２）に記載の太陽光パネル付高設棚養液栽培システム８０を提供することにより、上記課題を解決する。
（４）横フレーム２０ａに雨樋１１を設けたことを特徴とする上記（１）乃至上記（３）のいずれか１項に記載の太陽光パネル付高設棚養液栽培システム８０を提供することにより、上記課題を解決する。
【発明の効果】
【０００７】
本発明に係る太陽光パネル付高設棚養液栽培システムは、太陽光パネルの下で作物の養液栽培を行う。これにより、太陽光パネル下のエリアを有効活用することができる。また、本発明に係る太陽光パネル付高設棚養液栽培システムは側面を適宜開閉することで作物の栽培環境を管理することができる。これにより、高品質な作物を効率良く安定的に栽培することができる。また、農業従事者は作物の販売収入と売電収入とを得ることができる。
【０００８】
さらに、栽培槽を地表面から所定の高さをとって設置することで、作業者の負担を軽減することができる。また、上面の太陽光パネルと側面を適宜閉塞するカバー部とによって、作業者にとって快適な作業環境を形成することができる。これにより、作物の生産性を向上することができる。
【図面の簡単な説明】
【０００９】
【図１】本発明に係る太陽光パネル付高設棚養液栽培システムを示す図である。
【図２】本発明に係る太陽光パネル付高設棚養液栽培システムを示す図である。
【発明を実施するための形態】
【００１０】
本発明に係る太陽光パネル付高設棚養液栽培システム８０の実施の形態について図面に基づいて説明する。本発明に係る太陽光パネル付高設棚養液栽培システム８０は、光が受光することで発電する周知の太陽光パネル１０と、太陽光パネル１０を所定の角度に保持する横フレーム２０ａと、この横フレーム２０ａを支持する縦フレーム２０ｂと、太陽光パネル１０の下方、即ち横フレーム２０ａと縦フレーム２０ｂとで構成されるフレーム部内に設置される栽培槽３０と、を有している。
【００１１】
太陽光パネル１０を保持する横フレーム２０ａは、一般的に南方に向けられ太陽光パネル１０に太陽光が最も効率よく照射される角度に固定される。尚、横フレーム２０ａには屋根等を設け、太陽光パネル１０の間隙からフレーム部内へ雨水等が浸入することを防止する。また、横フレーム２０ａには雨樋１１を設置して、太陽光パネル１０（及び屋根）を流れる雨水等を所定の排水溝等へ導水することが好ましい。この構成によれば、太陽光パネル１０を流れる雨水が地面に滴下せず、この滴下による泥はね等を防止することができる。
【００１２】
また、栽培槽３０には作物の栽培に適した養液が供給され、この栽培槽３０内で作物Ｐ１、Ｐ２の養液栽培が行われる。尚、栽培槽３０には脚部３２を設け、栽培槽３０を所定の高さに設置する。この栽培槽３０の高さは養液の液面が地表から概ね７０ｃｍ〜８５ｃｍ程度の高さになるようにすることが好ましい。このような高さに栽培槽３０を設置することで、作業者は腰をかがめなくとも農作業を行うことが可能となり、農作業の負担軽減と農作物の生産性の向上とを図ることができる。
【００１３】
栽培槽３０への養液の供給は、例えば図１に示す循環式養液供給装置８を用いて行うことが好ましい。この循環式養液供給装置８は、養液を貯留する養液タンク１４と、養液タンク１４内の養液を栽培槽３０に供給する養液供給配管１２ａと、養液タンク１４に貯留した養液を養液供給配管１２ａを介して栽培槽３０に送る液送ポンプ１６と、栽培槽３０へ供給された養液を養液タンク１４に還流する排水管１２ｂと、養液タンク１４に還流する養液を濾過する濾過器１５と、を有している。そして、養液タンク１４には所定の肥料成分を所定の濃度で含有した養液が貯留され、液送ポンプ１６の稼働により栽培槽３０に供給されるとともに、排水管１２ｂを通して養液タンク１４に還流する。尚、養液タンク１４には栽培槽３０で栽培する作物Ｐ１、Ｐ２の一作分の養液を一括して貯留し、所定の栽培期間（約１ヶ月）循環させることが好ましい。この構成によれば、還流した養液を再利用できるため、肥料や水の節約とコスト削減、及び環境負荷の低減を図ることができる。
【００１４】
また、作物Ｐ１、Ｐ２の栽培槽３０中での保持方法は、従来から行われている周知の手法を用いることができる。例えば、作物を保持する栽培孔を備えたフタや発泡スチロール製の浮きベンチ３４を栽培槽３０に設置し、作物Ｐ１、Ｐ２の保持を行っても良いし、ロックウールや椰子殻、ウレタン等の培地を介して作物Ｐ１、Ｐ２の保持を行っても良い。尚、発泡スチロール製の浮きベンチ３４を用いる場合、作物Ｐ１、Ｐ２を保持する栽培孔は２列もしくは５列で形成することが作業性の面から特に好ましい。
【００１５】
また、作物Ｐ１、Ｐ２としては、日射量が自然状態よりも２５％以下の比較的弱い光でも生育が可能な、例えば、ミツバ、ミョウガ、フキ、シソ、セリ等を選択することが好ましい。尚、栽培槽３０内の各位置での光量を測定し、その受光光量に応じて栽培槽３０を複数の区画に区分し、その区画の受光光量に応じて栽培する作物を変化させても良い。例えば、受光光量が低めの区画では、比較的弱い光で生育が可能な作物の中でもさらに弱い光で生育が可能な作物を選択し栽培する。また、受光光量が高めの区画では、比較的弱い光で生育が可能な作物の中でも比較的日照を好む作物を選択し栽培する。この構成によれば、栽培槽３０の受光光量に応じて適切な作物を選択し栽培するため、効率的な作物の栽培を行うことができる。尚、受光光量が不十分な区画には、その区画の栽培槽３０上に補助灯２２を設置し、この補助灯２２によって光量の不足を補うようにしても良い。尚、補助灯２２としてはＬＥＤ灯、蛍光灯等、周知の照明灯を用いることができる。また、図２に示すように、太陽光パネル付高設棚養液栽培システム８０の棟間の屋根部分にフッ素フィルム等の透光性の屋根部材４０を設けるとともに、光反射性を有する反射シート４４を設置する。さらに太陽光パネル付高設棚養液栽培システム８０の横フレーム２０ａに反射板４２を設置しても良い。そして、棟間に射し込む日光を図２中の白抜き矢印で示すようにフレーム部内に導光する。また、このエリアに栽培槽３０を増設する。尚、図１、図２の縦フレーム２０ｂは光反射性を有する白色系の塗料で塗装することが好ましい。この構成によれば、棟間に射し込む日光をフレーム部内に導光してフレーム部内の光量を増加させるとともに、雨水のフレーム部内への浸入を更に防止し、フレーム部内の生育環境及び作業環境の改善と、栽培面積の増加による作物Ｐ１、Ｐ２の収量の向上とを図ることができる。
【００１６】
また、フレーム部の全ての側面には透光性を有し開閉が自在なカバー部２４が設置される。このカバー部２４としては巻き上げが可能な合成樹脂製の透明シートを用いることが好ましい。ただし、カバー部２４はこれに限定するものではなく、開閉可能なガラス板や扉等を用いても良い。そして、このカバー部２４を天候や気温等に応じて適宜開閉することでフレーム部の側面を開放状態、閉塞状態、半開放状態とする。これにより、例えば雨天時にカバー部２４を閉じることでフレーム部内への雨水の浸入を防止することができる。また、強風による被害を防止することができる。また、外気温に応じて、カバー部２４を開放状態、閉塞状態、半開放状態とすることでフレーム部内の温度調節を行うことができる。これにより、フレーム部内の作物Ｐ１、Ｐ２の生育環境をある程度管理することができる。また、太陽光パネル１０とともに雨や直射日光を遮って、作業者の作業環境を良好なものとすることができる。
【００１７】
さらに、横フレーム２０ａには水を霧化して噴霧するミスト装置２６を設けても良い。尚、ミスト装置２６への給水配管は横フレーム２０ａに沿わせて設置しても良いし、横フレーム２０ａ内に通しても良い。この構成によれば、ミストの蒸散によりフレーム部内の温度を下げることができる。また、フレーム部内の湿度を上げることができる。これにより、フレーム部内の作物Ｐ１、Ｐ２の生育環境の更なる管理と作業者の作業環境の改善とを図ることができる。
【００１８】
以上のように、本発明に係る太陽光パネル付高設棚養液栽培システム８０は、太陽光パネル１０の下に栽培槽３０を設置して作物Ｐ１、Ｐ２の養液栽培を行う。これにより、太陽光パネル１０下のエリアを有効活用することができる。また、本発明に係る太陽光パネル付高設棚養液栽培システム８０は、養液により作物Ｐ１、Ｐ２の栽培を行うため、施肥や水遣りの手間が省けるとともに施肥量の管理を容易に行うことができる。また、土中細菌による病弊害や連作障害等を防止することができる。これにより、高品質な作物Ｐ１、Ｐ２を効率良く安定的に栽培することができる。さらに、栽培槽３０を地表面から所定の高さをとって設置することで、作業者の負担を軽減するとともに作物Ｐ１、Ｐ２の生産性の向上を図ることができる。
【００１９】
また、本発明に係る太陽光パネル付高設棚養液栽培システム８０は、太陽光パネル１０が雨や直射日光を遮るとともに、フレーム部の側面に開閉可能なカバー部２４を有している。そして、カバー部２４によりフレーム部の側面を閉塞することで、雨水の流入や風雪による弊害を防止することができる。また、カバー部２４を適宜開閉することで、フレーム部内の温度、湿度をある程度調節することができる。これにより、フレーム部内の環境管理が可能となり、高品質な作物Ｐ１、Ｐ２をさらに効率良く安定的に栽培することができる。また、作業者にとって良好な作業環境を形成することができる。
【００２０】
そして、農業従事者は栽培槽３０で栽培した作物Ｐ１、Ｐ２の販売収入に加え、太陽光パネル１０で発電した電力の売電収入等を得ることができる。これにより、農業従事者の収入を向上することができる。
【００２１】
尚、本例で示した太陽光パネル付高設棚養液栽培システム８０の各部の形状、構成、寸法、栽培作物等は一例であり、本発明は本発明の要旨を逸脱しない範囲で変更して実施することが可能である。
【符号の説明】
【００２２】
１０    太陽光パネル
３０    栽培槽
８０    太陽光パネル付高設棚養液栽培システム
２０ａ  横フレーム
２０ｂ  縦フレーム
２２    補助灯
２４    カバー部
２６    ミスト装置
８      循環式養液供給装置
【要約】
【課題】太陽光パネル下のエリアを有効活用するとともに、太陽光パネル下にて作物を安定的に生育することが可能な太陽光パネル付高設棚養液栽培システムを提供する。
【解決手段】本発明に係る太陽光パネル付高設棚養液栽培システム８０は、太陽光パネル１０の下に栽培槽３０を設置して作物Ｐ１、Ｐ２の養液栽培を行う。これにより、太陽光パネル１０下のエリアを有効活用することができる。また、太陽光パネル付高設棚養液栽培システム８０は、養液により作物Ｐ１、Ｐ２の栽培を行うため、高品質な作物Ｐ１、Ｐ２を効率良く安定的に栽培することができる。さらに、栽培槽３０を地表面から所定の高さをとって設置することで、作業者の負担を軽減するとともに作物Ｐ１、Ｐ２の生産性の向上を図ることができる。
【選択図】図１【図１】
0005791211.tif 000002
【図２】
0005791211.tif 000003